【事件の表示】
　特願２０００−２５２１４４「再生システム及び再生方法」拒絶査定不服審判事件〔平成１３年　３月３０日出願公開、特開２００１−　８３９７７〕について、次のとおり審決する。
【結　論】
　本件審判の請求は、成り立たない。
【理　由】
１．手続の経緯・本願発明
　本願は、平成５年８月２７日に出願した特願平５−２１３１１３号の一部を平成１２年８月２３日に新たな特許出願としたものであって、その請求項１〜５に係る発明は、平成１６年７月１２日付け手続補正によって補正された明細書の特許請求の範囲の請求項１〜５に記載されたとおりのものと認められるところ、そのうち請求項１に係る発明（以下、「本願発明」という。）は、次のとおりである。
「予め複数の曲名データを個別番号を付与して記憶する書き換え不可能な第１のメモリと、
　新たに追加されるディスクより読み出された曲名データを個別番号を付与して記憶する書き換え可能な第２のメモリと、
　複数の音声データが個別番号を付与されて記憶される上記ディスクより所望の音声データを指示する指示手段と、
　上記指示された音声データに対応する個別番号が付与される曲名データを上記第１或いは第２のメモリより読み出すと共に表示する表示手段と、
　上記ディスクより、上記指示手段により指示された音声データを読み出し再生する再生手段と、
　上記再生手段による上記指示手段により指示された音声データの再生が終了したとき、上記表示手段が、当該再生された音声データに続く再生が予約される音声データに対応する個別番号が付与される曲名データを上記第１或いは第２のメモリより読み出し表示するように制御する制御手段と、
　を備える再生システム。」
　
２．引用例
　これに対して、原査定の拒絶の理由に引用された刊行物である特開平４−３２６３８９号公報（以下、「引用例」という。）には、図面とともに以下の技術事項が記載されている。
（ａ）
「【００１６】
【実施例】以下、図１〜図３を参照しながら、この発明による映像信号再生装置を映像つきカラオケ装置に適用した一実施例について説明する。
【００１７】この発明の一実施例の構成を図１に示す。この図１において、前出図４に対応する部分には同一の符号を付して一部の説明を省略する。図１において、１０はシステム制御回路（マイクロコンピュータ）であって、ＲＡＭ１１と接続され、キー１２の操作に応じて、ＣＤのディスク番号及び曲番号からなる選曲データが入力される。この選曲データが、ＣＤプレーヤ（チェンジャ）１ｃと小型ディスプレイ１３に供給されて、所望のＣＤが選択されると共に、ディスプレイ１３上に、ＣＤのディスク番号と所望の曲番号とが表示されて、選曲操作の適否が確認される。
【００１８】また、上述の選曲データが、マイクロコンピュータ１０を経て、メモリカード１４に供給される。このメモリカード１４は、図示は省略するが、例えば、ＥＰＲＯＭとＳＲＡＭとを含んで構成され、上述のような選曲データと、カラオケ曲の曲情報（曲名及び歌手名等）とを対応させるデータテーブルが搭載されている。例えば、１つのカラオケシリーズのＣＤが１５０枚程度の場合、数百人の歌手による数千のカラオケ曲が網羅され、このうち、新曲のデータテーブルがメモリカード１４のＳＲＡＭに搭載されると共に、ＥＰＲＯＭには比較的古い曲のデータテーブルが搭載される。」
（ｂ）
「【００２５】上述のようにして、１つのカラオケ曲と、その内容にマッチした背景動画像の再生が終わった後で次の曲を選択する場合、ないしは、１つのカラオケ曲の演奏途中で次の曲を予約する場合は、図３に示すような動作となる。即ち、図３のステップＳ１１において、前述のような選曲データが操作キー１２からマイクロコンピュータ１０に入力されると、この選曲データがメモリカード１４に供給されて、メモリカード１４に搭載されたデータテーブルにより、供給された選曲データに対応するジャンルコードが特定される（ステップＳ１２）。」
（ｃ）
「【００３１】なお、この実施例では、前述のように、ＣＤのディスク番号及び曲番号からなる選曲データと、カラオケ曲の曲名及び歌手名とを対応させるデータテーブルがメモリカードに搭載されている。従って、このメモリカードから得られる曲情報を、文字として、適宜のディスプレイに表示することにより、同一曲の重複予約を防止することができる。」
　
　摘記した引用例記載事項及び図面を総合勘案すると、引用例には、結局、次の発明（以下、「引用発明」という。）が記載されている。 
「ＣＤのディスク番号及び曲番号からなる選曲データと、曲名及び歌手名等の曲情報とを対応させるデータテーブルが、新曲についてはＳＲＡＭに、比較的古い曲についてはＥＰＲＯＭにそれぞれ搭載されたメモリカード１４と、
　選曲データの入力操作を行うキー１２と、
　同一曲の重複予約を防止するために、メモリカードから得られる曲情報を文字として表示するディスプレイと、
　ＣＤプレーヤ（チェンジャ）１ｃと、
　システム制御回路（マイクロコンピュータ）１０と、
　を備えた映像信号再生装置。」
　
３．対比 
　そこで、本願発明と引用発明とを対比する。
　引用発明における「映像信号再生装置」は、本願発明における「再生システム」に相当する。
　引用発明における「ＥＰＲＯＭ」は、追記が可能なものとはいえ、ＭＰＵアクセスなどでは書き換えが出来ないものであるから、通常は書き換えが出来ないものとして使用されるものであり、本願発明における「書き換え不可能な第１のメモリ」に相当するものと認められる。
　引用発明における「ＳＲＡＭ」は、本願発明における「書き換え可能な第２のメモリ」に相当する。また、当該「ＳＲＡＭ」は、新曲用のＲＡＭである以上、現時点での新曲だけでなく、今後に出る新曲についても、データが追加されるものと言えるから、本願発明における「新たに追加される」データを記憶するものと認められる。
　引用発明における「キー」は、本願発明における「指示手段」に相当する。
　なお、引用発明における選曲は、ＣＤのディスク番号と曲番号により所望の曲が指定されるものであり、それぞれの曲にはそれらの番号が「付与」されていると言うべきであるから、当該ＣＤは、本願発明における「複数の音声データが個別番号を付与されて記憶される（上記）ディスク」に相当するものと認められる。
　引用発明における「ディスプレイ」は、適宜に設けられるものであるが、図１に示される小型ディスプレイ１３のように、「システム制御回路」（マイクロコンピュータ１０）に接続され、制御されるものと解することができ、当該「ディスプレイ」と「システム制御回路」をあわせたものにおいて、メモリカードから曲情報を読み出すと共に表示する機能を有する手段が、本願発明における「表示手段」に相当するものである。
　さらに、引用発明における曲情報の表示は、「同一曲の重複予約を防止するため」のものである以上、予約がなされた曲の曲名を表示するものであり、その曲名は、指示手段で指示された曲に対応するものであることは明らかである。
　引用発明における「ＣＤプレーヤ」は、本願発明における「再生手段」に相当する。
　すると、本願発明と引用発明は、次の点で一致する。
＜一致点＞
「予め複数の曲名データを個別番号を付与して記憶する書き換え不可能な第１のメモリと、
　新たに追加される曲名データを個別番号を付与して記憶する書き換え可能な第２のメモリと、
　複数の音声データが個別番号を付与されて記憶される上記ディスクより所望の音声データを指示する指示手段と、
　上記指示された音声データに対応する曲名データを上記第１或いは第２のメモリより読み出すと共に表示する表示手段と、
　上記ディスクより、上記指示手段により指示された音声データを読み出し再生する再生手段と、
　上記表示手段が、曲名データを上記第１或いは第２のメモリより読み出し表示するように制御する制御手段と、
　を備える再生システム。」
　
　一方、次の各点で相違する。
（相違点１）
　第２のメモリに記憶する新たに追加される曲名データは、本願発明では、再生手段で「ディスクより読み出された」ものであるのに対し、引用発明では、どのように発生し、記憶されるかについて記載がない点。
（相違点２）
　読み出して表示する曲名データには、本願発明では、「個別番号が付与される」のに対し、引用発明では、個別番号が付与されるか否かについて記載がない点。
（相違点３）
　曲名データの読み出し表示の制御内容について、本願発明では、「再生手段による指示手段により指示された音声データの再生が終了したとき、」「再生された音声データに続く再生が予約される音声データに対応する」「曲名データ」を読み出し表示するように制御するものであるのに対し、引用発明では、どのようなタイミングでどの曲の曲名データを読み出し表示するかについて明記されていない点。
　
４．当審の判断
　そこで、上記各相違点についてそれぞれ検討する。
（相違点１について）
　曲名データの表示を行う再生システムにおいて、当該システムの再生手段でディスクより曲名データを読み出し、メモリに記憶させることは、例えば、特開平５−６１４９２号公報にあるように、本願出願前に当業者にとって周知技術であるから、引用発明においても同様に、第２のメモリ（ＳＲＡＭ）に記憶させる曲名データを、システムの再生手段でディスクより読み出すように構成し、「新たに追加される」「曲名データ」を「ディスクより読み出された」ものとすることは、当業者が容易になし得ることと認められる。
　
（相違点２について）
　読み出して表示する曲名データに対して、個別番号を付与するか、付与しないかは任意に選択し得る程度のことであるから、当該「曲名データ」を「個別番号が付与される」ものとした点は当業者が適宜なし得たことと認められる。
　
（相違点３について）
　複数の曲が予約され、それらの曲名の表示がされている場合に、そのうちのある曲が再生され、その曲の再生が終了すると、次（以降）の予約曲の曲名表示に画面を切り替えることは、例えば、特開平５−５３５９３号公報（特に図７を参照）にも見られるように、カラオケでは普通のことにすぎないから、引用発明において、「再生手段による指示手段により指示された音声データの再生が終了したとき、」「再生された音声データに続く再生が予約される音声データに対応する」「曲名データ」を読み出し表示するようにすることは、当業者が容易になし得ることと認められる。
　なお、曲間（曲の再生終了時）に情報表示を行うこと自体は、例えば、実願平２−１０２６２５号（実開平４−５９９００号）のマイクロフィルムにもあるように、本願出願前に当業者の周知技術である。
　
５．むすび
　以上のとおり、本願の請求項１に係る発明は、引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。